(57)【要約】本発明は、光源システム及びレーザ光源（３００）を開示している。レーザ光源は、少なくとも１つのレーザ群が少なくとも２つのレーザ（２１ａ、２１ｂ、２１ｃ、２１ｄ）を含み、２つのレーザ群によって発生された光束（Ｌ１）が同一方向であってかつ互いに平行する２つのレーザ群（２０ａ、２０ｂ）を含む。２つのレーザ群のそれぞれの出射光からなる光束の断面での第１の投影の第１の方向での第２の投影は、部分的に重なっており、第１の方向は、１つのレーザ群内の少なくとも２つのレーザの中心を結ぶ線の方向である。レーザ光源は、効果的に光パワー密度を増大させると同時に光源の容積を低減させることができるという効果を有する。
2015501508.tif 000002
【特許請求の範囲】
【請求項１】
少なくとも１つのレーザ光源群を含む光源システムであって、
前記１つのレーザ光源群は、
少なくとも１つのレーザ群が少なくとも２つのレーザを含み、各レーザ群によって発生された各光束が同一方向であってかつ平行するようにする２つのレーザ群と、
少なくとも１つの反射鏡群が少なくとも２つの反射鏡を含み、反射鏡がそれに対応するレーザの光軸上に設置されている、前記２つのレーザ群に対応する２つの反射鏡群と、
を含み、
前記反射鏡群は、それに対応するレーザ群によって発生された各光束を反射することにより、当該反射鏡群からの当該各出射光束間の間隔は、当該反射鏡群への各入射光束間の間隔よりも小さくなるものであって、
前記２つのレーザ群からの各出射光束は、互いに平行し、前記２つの反射鏡群からの各出射光束は、同一方向であって互いに平行し、
前記２つのレーザ群のそれぞれの出射光からなる光束の断面での第１の投影の第１の方向での第２の投影は、部分的に重なっており、第１の方向は、１つのレーザ群内の少なくとも２つのレーザの中心を結ぶ線の方向であることを特徴とする光源システム。
【請求項２】
少なくとも２つの反射鏡を含む反射鏡群内の２つの隣接する反射鏡は、階段状であることを特徴とする請求項１に記載の光源システム。
【請求項３】
前記２つの隣接する反射鏡のそれぞれの光出射方向での投影は、互いに隣接していることを特徴とする請求項２に記載の光源システム。
【請求項４】
前記レーザからの出射光の断面光スポットの幅は、当該反射鏡のその光入射方向での投影サイズに等しくなることにより、同じレーザ群からの隣接する光束が反射鏡によって反射された後の隣接する光スポットは、光スポットの幅方向で隣接しており、前記幅は、当該光スポットが第２の方向に沿って投影された幅であり、第２の方向は、反射鏡の入射光束の断面と出射光束の断面の両方に平行する方向であることを特徴とする請求項３に記載の光源システム。
【請求項５】
前記断面光スポットの形状は、楕円形、長方形または円形であることを特徴とする請求項４に記載の光源システム。
【請求項６】
レーザから反射鏡への入射光の入射角は、４５度であり、前記光の断面光スポットの幅は、当該光を反射する反射鏡の直角辺の長さに等しくなることにより、前記隣接する光束が反射鏡によって反射された後の隣接する光スポットは、光スポットの幅方向で隣接していることを特徴とする請求項４に記載の光源システム。
【請求項７】
前記２つのレーザ群内の群間のレーザによって発生される隣接する光束が反射鏡によって反射された後に形成された光スポットは、第２の方向で隣接しており、第２の方向は、当該反射鏡の入射光束の断面と出射光束の断面の両方に平行する方向であることを特徴とする請求項１に記載の光源システム。
【請求項８】
各レーザ群は、直線状に配列されており、前記２つのレーザ群は、同一方向でオフセットして設置されていることを特徴とする請求項１に記載の光源システム。
【請求項９】
２つのレーザ群が同一方向でオフセットして設置されているのは、具体的に、２つのレーザ群のそれぞれ位置する２つのラインがレーザの光出射方向での同一断面にあり、一方のレーザ群内の隣接するレーザが互いに離間して設置され、他方のレーザ群内の隣接するレーザも互いに離間して設置され、２つのレーザ群がそれぞれのラインに沿って互いにオフセットして噛み合っていることを意味することを特徴とする請求項８に記載の光源システム。
【請求項１０】
２つのレーザ群が同一方向でオフセットして設置されているのは、具体的に、２つのレーザ群がそれぞれ位置する２つのラインがレーザの光出射方向での異なる断面にあり、一方のレーザ群内の隣接するレーザが互いに離間して設置され、他方のレーザ群内の隣接するレーザも互いに離間して設置され、２つのレーザ群のそれぞれの光出射方向での投影がそれぞれのラインに沿って互いにオフセットして噛み合っていることを意味することを特徴とする請求項８に記載の光源システム。
【請求項１１】
前記２つのレーザ群からの各出射光束は、反対方向であることを特徴とする請求項１に記載の光源システム。
【請求項１２】
各レーザ群は、直線状に配列され、２つのレーザ群は、対向して設置され、対向して設置されている２つのレーザ群のそれぞれの光出射方向での２つの投影群は、部分的に重なっていることを特徴とする請求項１１に記載の光源システム。
【請求項１３】
前記２つのレーザ群のうち、一方のレーザ群によって発生される各光束と、他方のレーザ群によって発生される隣接する光束が反射鏡によって反射された後に形成された光スポットは、第２の方向で隣接しており、第２の方向は、当該反射鏡の入射光束の断面と出射光束の断面の両方に平行する方向であることを特徴とする請求項１２に記載の光源システム。
【請求項１４】
前記２つのレーザ光源群を含み、
光合成デバイスをさらに含み、
前記２つのレーザ光源群からの出射光は、当該光合成デバイスの両側に入射され、当該光合成デバイスは、それぞれ両側に入射された２つの光を透過して反射しており、透過されて反射された２つの光によって形成された光スポットは、少なくとも部分的に重なっていることを特徴とする請求項１に記載の光源システム。
【請求項１５】
前記透過されて反射された２つの光によって形成された光スポットの中心は、重なっていることを特徴とする請求項１４に記載の光源システム。
【請求項１６】
反射シートをさらに含み、
前記２つのレーザ光源群のうち、一方のレーザ光源群からの出射光は、当該反射シートによって前記光合成デバイスの片側に反射されることを特徴とする請求項１４に記載の光源システム。
【請求項１７】
前記光合成デバイスは、前記反射シートによって当該光合成デバイスの片側に反射された光を反射することを特徴とする請求項１６に記載の光源システム。
【請求項１８】
前記反射シートの位置は、当該反射シートへの入射光の入射角が調節可能であるように調節可能であることを特徴とする請求項１６に記載の光源システム。
【請求項１９】
前記２つのレーザ光源群からの出射光の偏光方向は、互いに直交しており、前記光合成デバイスは、偏光による光合成デバイスであることを特徴とする請求項１４に記載の光源システム。
【請求項２０】
前記２つのレーザ光源からの出射光は、異なる波長を有しており、前記光合成デバイスは、波長選択デバイスであることを特徴とする請求項１４に記載の光源システム。
【請求項２１】
前記レーザは、レーザダイオードであることを特徴とする請求項１乃至２０のいずれかの一つに記載の光源システム。
【請求項２２】
少なくとも１つのレーザ群が少なくとも２つのレーザを含み、２つのレーザ群によって発生された各光束が同一方向であってかつ平行する２つのレーザ群を含み、
前記２つのレーザ群のそれぞれの出射光からなる光束の断面での第１の投影の第１の方向での第２の投影は、部分的に重なっており、第１の方向は、１つのレーザ群内の少なくとも２つのレーザの中心を結ぶ線の方向であることを特徴とするレーザ光源。
【請求項２３】
各レーザ群は、直線状に配列されており、２つのレーザ群がそれぞれ位置する２つのラインは、レーザの光出射方向での同一断面にあることを特徴とする請求項２２に記載のレーザ光源。
【請求項２４】
各レーザ群内の隣接するレーザは、互いに離間して設置されており、２つのレーザ群は、それぞれのラインに沿って互いにオフセットして噛み合っていることを特徴とする請求項２３に記載のレーザ光源。
【請求項２５】
少なくとも１つのレーザ群が少なくとも２つのレーザを含み、各レーザ群によって発生された各光束が同一方向であってかつ平行し、２つのレーザ群によって発生された光束が反対方向であってかつ平行するようにする２つのレーザ群と、
それぞれ前記２つのレーザ群からの各光束を反射するために使用され、前記２つのレーザ群からの各出射光束が反射された後に同一方向であってかつ互いに平行するようにする２つの反射鏡群と、
を含み、
前記２つのレーザ群のそれぞれの出射光からなる光束の断面での第１の投影の第１の方向での第２の投影は、部分的に重なっており、第１の方向は、１つのレーザ群内の少なくとも２つのレーザの中心を結ぶ線の方向であることを特徴とするレーザ光源。
【請求項２６】
各レーザ群は、直線状に配列され、２つのレーザ群は、対向して設置され、対向して設置すれている２つのレーザ群のそれぞれの光出射方向での２つの投影群は、部分的に重なっていることを特徴とする請求項２５に記載のレーザ光源。
【請求項２７】
各レーザ群内の隣接するレーザ間は、互いに接触していることを特徴とする請求項２５に記載のレーザ光源。
【発明の詳細な説明】
【技術分野】
【０００１】
本発明は、光学技術の分野に関するものであり、特に、光源システムおよびレーザ光源に関するものである。
【背景技術】
【０００２】
従来技術では、典型的な単一の半導体レーザは、約数百ミリワットの光パワー、または１−２ワットのより高い光パワーを有している。単一の半導体レーザでは、数ワットまたは１０ワット以上のパワー出力を達成しようとするのは、現在困難である。
【０００３】
必要な光パワーが数十ワットである、プロジェクタ、舞台照明システムなどの高パワー半導体レーザを必要とするいくつかの用途において、半導体レーザのアレイ配列を使用することができる。従来技術の半導体レーザアレイ配列は、単純にレーザダイオードのような半導体レーザを２次元に配列し、レーザダイオードからの光をコリメートするコリメートレンズを使用するものである。
【０００４】
図１ａは、４×４の配列形態のレーザダイオードアレイを示す。レーザダイオード１１の典型的な光分布は、比較的大きな発散角を有する、楕円形のガウス分布である。コリメートレンズ（図示せず）は、典型的には、レーザダイオード１１からの光をコリメートすることができる、回転対称性を有するレンズである。
【０００５】
また図１ａに示すように、従来技術のレーザダイオード配列は、典型的には、レーザダイオード１１がベース１２上に装着されている平面直射式配列である。ベース１２の投影面積は、対応するレーザダイオード１１の投影面積よりも大きくなる。本出願の発明者らは、上述の平面直射式配列がいくつかの技術的な問題点を生ずることを長期的な研究開発を通して発見した。次のように具体的に説明する。
【０００６】
図１ｂを合わせて参照する。レーザダイオード１１の出射光分布は、楕円形のガウス分布であるので、楕円形の光スポット１３は、コリメートレンズ（図示せず）によって形成され、この楕円形の光スポット１３の面積は、対応するベース１２の投影１４の面積よりもはるかに小さくなる。ベース１２の投影１４の面積は、対応するレーザダイオード１１の投影面積よりも大きくなるので、レーザダイオード１１の配列密度が小さすぎることはできず、さらに、楕円形の光スポット１３の面積は、対応するベース１２の投影１４の面積よりもはるかに小さくなるので、大きなギャップは、光スポット１３のアレイ間に形成されてしまっていた。つまり、光スポット１３は、緊密に配列することができなくなってしまっていた。そのため、光パワー密度は、ベース１２のサイズによって影響され、さらに増加させることができない。その結果、レーザの高パワー密度の利点が十分に実現できない。各光束を１つの光スポットにレンズにより焦点を合わせることができるにもかかわらず、合焦された各光束は、もはや平行光の特性を保持しないが、比較的大きな発散角を有している。これは、後段の光路システムの設計にしばしば不利である。
【０００７】
光パワー密度を高めるために、特許ＣＮ１０１９３７１６３は、レーザの光スポットの緊密な配列を達成することができる光源ユニットを提供する。図２に示すように、光源ユニット２００は、光源群２１０及び反射鏡群２２０を含む。光源群２１０は、６つの光源２０１を含み、光源２０１は、発光素子２０５及びコリメートレンズ２０７からなる。反射鏡群２２０は、光源２０１に対応する６つの互いに平行な反射鏡２２５を含み、反射鏡２２５は、互いの間に小さな間隔を有する各光束に各行の光源２０１からの各光束を反射する。
【０００８】
図２に示すように、光源２０１のコリメートレンズ２０７の直径がａであるとともに、光源間の行間隔がｂであれば、光源群２１０の列方向の全長さは、６つの列を有することにより、６ａ＋５ｂとなる。光源２０１のコリメートレンズ２０７からの出射光束は、平行光であるため、光源群２１０からの出射光束の断面面積の列方向の全長さも、６ａ＋５ｂとなる。１つの反射鏡２２０ｅがこのような光源群２１０からの出射光束を列方向に対して直接反射するために使用される場合、反射鏡２２０ｅからの反射光束の断面の列方向の全長さは、６ａ＋５ｂとなる。しかしながら、異なる長方形の反射鏡２２５は、光源の行ごとに配置されるとともに、それらの反射鏡２２５は、各反射鏡の互いの間の間隔が光源群２１０の光軸方向で低減されるように配置されている場合、各反射鏡２２５からの反射光束は、光源群２１０の各行の光源２０１間の間隔ｂが除去された状態の光束となる。したがって、光束の列方向の全長さは、６ａとなり、レーザの光スポットの緊密な配列を達成するようになる。
【発明の概要】
【発明が解決しようとする課題】
【０００９】
従来技術に対する検討の過程において、本出願発明者らは、１つの互いに平行な反射鏡群が一方向でのレーザの光スポットの間隔を圧縮することができるだけで、他の垂直方向でのレーザの光スポットの間隔が比較的に大きくなることを発見した。両方向での間隔が圧縮された光スポットアレイを得るために、２つの反射鏡群を使用する必要がある。これは、光源ユニットの容積を増加させ、実際の製品では、利用の不便さを招く。
【課題を解決するための手段】
【００１０】
本発明の実施例は、レーザの光スポットの緊密な配列を実現することが可能となり、効果的に光パワー密度を増大させると同時に製品の容積を低減させることができる光源システム及びレーザ光源を提供するものである。
【００１１】
本発明の実施例は、
少なくとも１つのレーザ光源群を含む光源システムであって、
前記１つのレーザ光源群は、
少なくとも１つのレーザ群が少なくとも２つのレーザを含み、各レーザ群によって発生された各光束が同一方向であって平行であるようにする２つのレーザ群と、
少なくとも１つの反射鏡群が少なくとも２つの反射鏡を含み、反射鏡がそれに対応するレーザの光軸上に設置されている、前記２つのレーザ群に対応する２つの反射鏡群と、
を含み、
前記反射鏡群は、それに対応するレーザ群によって発生された各光束を反射することにより、当該反射鏡群からの当該各出射光束間の間隔は、当該反射鏡群への各入射光束間の間隔よりも小さくなるものであって、
前記２つのレーザ群からの各出射光束は、互いに平行であり、前記２つの反射鏡群からの各出射光束は、同一方向であって互いに平行であり、
前記２つのレーザ群のそれぞれの出射光からなる光束の断面での第１の投影の第１の方向での第２の投影は、部分的に重なっており、第１の方向は、１つのレーザ群内の少なくとも２つのレーザの中心を結ぶ線の方向である、
光源システムを提供する。
【００１２】
本発明の実施例は、
少なくとも１つのレーザ群が少なくとも２つのレーザを含み、２つのレーザ群によって発生された各光束が同一方向であって平行である２つのレーザ群を含み、
前記２つのレーザ群のそれぞれの出射光からなる光束の断面での第１の投影の第１の方向での第２の投影は、部分的に重なっており、第１の方向は、１つのレーザ群内の少なくとも２つのレーザの中心を結ぶ線の方向である、
レーザ光源をさらに提供する。
【００１３】
本発明の実施例は、
少なくとも１つのレーザ群が少なくとも２つのレーザを含み、各レーザ群によって発生された各光束が同一方向であって平行であり、２つのレーザ群によって発生された光束が反対方向であって平行であるようにする２つのレーザ群と、
それぞれ前記２つのレーザ群からの各光束を反射するために使用され、前記２つのレーザ群からの各出射光束が反射された後に同一方向であって互いに平行であるようにする２つの反射鏡群と、
を含み、
前記２つのレーザ群のそれぞれの出射光からなる光束の断面での第１の投影の第１の方向での第２の投影は、部分的に重なっており、第１の方向は、１つのレーザ群内の少なくとも２つのレーザの中心を結ぶ線の方向である、
レーザ光源をさらに提供する。
【発明の効果】
【００１４】
従来技術に比べて、本発明の実施例は、次のような利点を含む。
【００１５】
説明の便宜上、前記２つのレーザ群の第１の投影の第１の方向での第２の投影が部分的に重なっていることは、レーザ群間のオフセット設置と呼ばれる。レーザダイオード群のオフセット設置を用いることにより、群間のレーザダイオードからの光束間の間隔を圧縮することができる。従来技術に比べて、光学システムの容積が大幅に低減されるとともに、光源システムの光パワー密度が増加する。
【図面の簡単な説明】
【００１６】
【図１ａ】従来技術の半導体レーザアレイにおける半導体レーザの配列の模式図である。
【図１ｂ】図１ａに示すレーザアレイによって発生された光スポットの配列の模式図である。
【図２】特許ＣＮ１０１９３７１６３における光源ユニットの構成の模式図である。
【図３】本発明の実施例における光源システムの一実施例の構成の模式図である。
【図４】図３に示す光源システムにおける１つのレーザ群及び１つの反射鏡群の上面図である。
【図５】図３においてスクリーンの光入射方向から見たスクリーンへの隣接する光スポットの模式図。
【図６】図３のレーザ群の第１の投影および第２の投影の模式図である。
【図７ａ】それぞれ本発明に係る光源システムの２つの別の実施例における２つのレーザ群のそれぞれの光出射方向での投影の模式図である。
【図７ｂ】それぞれ本発明に係る光源システムの２つの別の実施例における２つのレーザ群のそれぞれの光出射方向での投影の模式図である。
【図８ａ】それぞれ本発明の図３の実施例、従来技術、特許ＣＮ１０１９３７１６３においてスクリーンの光入射方向から見たスクリーンへの光スポットパターンである。
【図８ｂ】それぞれ本発明の図３の実施例、従来技術、特許ＣＮ１０１９３７１６３においてスクリーンの光入射方向から見たスクリーンへの光スポットパターンである。
【図８ｃ】それぞれ本発明の図３の実施例、従来技術、特許ＣＮ１０１９３７１６３においてスクリーンの光入射方向から見たスクリーンへの光スポットパターンである。
【図９】本発明の実施例における光源システムの別の実施例の構成の模式図である。
【図１０】図９に示す実施例における各レーザダイオード群のそれぞれの出射光束の断面での第１の投影の模式図である。
【図１１】図９においてスクリーンの光入射方向から見たスクリーンへの光スポットパターンである。
【図１２】図９の実施例におけるレーザ群の第１の投影および第２の投影の模式図である。
【図１３】本発明の実施例における光源システムの別の実施例のレーザ群の第１の投影の模式図である。
【図１４】本発明の実施例における光源システムの別の実施例のレーザ群の第１の投影の模式図である。
【図１５】本発明の実施例におけるレーザ光源の一実施例の構成の模式図である。
【図１６】図１５に示す実施例におけるレーザ群の第１の投影および第２の投影の模式図である。
【図１７】本発明の実施例におけるレーザ光源の別の実施例の構成の模式図である。
【図１８】図１７に示す実施例におけるレーザ群の第１の投影および第２の投影の模式図である。
【図１９】本発明の実施例における光源システムの別の実施例の構成の模式図である。
【図２０】図１９に示す実施例においてスクリーンの光入射方向から見たスクリーンへの光スポットパターンである。
【発明を実施するための形態】
【００１７】
本発明の実施例における光源システムの一実施例の構成の模式図である図３を参照する。光源システムは、１つのレーザ光源群３００を含む。当該レーザ光源群３００は、
レーザ群２０ａが２つのレーザ２１ａおよび２１ｂを含み、レーザ群２０ｂが２つのレーザ２１ｃおよび２１ｄを含み、２つのレーザ群が平行に設置され、同じレーザ群内の２つのレーザによって発生された２つの光束が同一方向であって平行であるようにする２つのレーザ群２０ａおよび２０ｂと、
反射鏡群３０ａがそれぞれ２つのレーザ２１ａおよび２１ｂに対応する２つの反射鏡３１ａおよび３１ｂを含み、反射鏡群３０ｂがそれぞれ２つのレーザ２１ｃおよび２１ｄに対応する２つの反射鏡３１ｃおよび３１ｄを含み、反射鏡がそれに対応するレーザの光軸上に設置されている、それぞれ２つのレーザ群２０ａおよび２０ｂに対応する２つの反射鏡群３０ａおよび３０ｂと、
を含み、
反射鏡群は、それに対応するレーザ群によって発生された各光束を反射しており、具体的には、反射鏡群３０ａは、レーザ群２０ａによって発生された２つの光束Ｌ１を反射し、反射鏡群３０ｂは、レーザ群２０ｂによって発生された２つの光束Ｌ２を反射することにより、反射鏡群からの当該各出射光束間の間隔は、当該反射鏡群への各入射光束間の間隔よりも小さくなるものである。
【００１８】
図３に示す光源システムにおける１つのレーザ群及び１つの反射鏡群の上面図である図４を参照する。図４に示すように、反射鏡群３０ａは、本体３２と、本体３２の同じ側に設置された２つの反射鏡３１ａおよび３１ｂとを含む。もちろん、本体３２の同じ側に設けられた反射鏡の数は、他の数であってもよく、それは、本発明において限定されるものではない。隣接する反射鏡３１ａおよび３１ｂは、隣接する反射鏡が異なる平面上に設置されて互いにオフセットされていることという段階構造を形成している。この段階構造における隣接する段階の間の間隔、即ち、反射鏡３１ａの底部と反射鏡３１ｂの頂部との高さの差は、隣接する光反射鏡３１ａおよび３１ｂへの２つの入射光束Ｌ１によって形成された光スポットの間の間隔よりも小さくなることにより、光スポット間の間隔は、反射鏡群３０への２つの入射光束Ｌ１によって形成された光スポットの間の間隔より当該反射鏡群からの２つの出射光束Ｌ１によって形成された光スポットの間の間隔に低減されるようになる。間隔低減の原理の分析については、ＣＮ１０１９３７１６３を参照することができ、ここでは詳細には説明しない。
【００１９】
好ましくは、２つの隣接する反射鏡３１ａおよび３１ｂのそれぞれの光出射方向での投影は、互いに隣接しており、すなわち、反射鏡３１ａの底部と反射鏡３１ｂの頂部を結ぶ線は、反射鏡群３０ａの容積を低減するように、当該光出射方向に平行である。
【００２０】
さらに、反射鏡群は、同じレーザ群からの２つの隣接する光束、例えば、レーザ２１ａおよび２１ｂのそれぞれからの２つの隣接する光束が反射鏡によって反射された後の隣接する光スポットが隣接するように、光スポット間の間隔を低減させる。２つの隣接する反射鏡３１ａおよび３１ｂのそれぞれの光出射方向での投影は、互いに隣接する場合には、レーザからの出射光の断面光スポットの幅が当該反射鏡のその光入射方向での投影サイズに等しくなれば、２つの隣接する光束が反射鏡によって反射された後の２つの隣接する光スポットは、光スポットの幅方向で隣接しており、ここでは、当該幅は、当該断面光スポットが第２の方向に沿って投影された幅であり、第２の方向は、反射鏡の入射光束の断面と出射光束の断面の両方に平行な方向である。レーザからの出射光の断面光スポットは、楕円形、長方形、正六角形、円形などの任意の形状であってもよい。反射鏡への入射光の入射角は、任意の角度とすることができる。
【００２１】
理解を容易にするために、反射鏡への入射光の入射角が４５度であるとともに、レーザからの出射光の断面光スポットが楕円形であることを一例として取る。レーザからの出射光の断面光スポットの長軸方向は、当該光の反射鏡からの出射方向に平行なときに、すなわち、長軸は、当該断面光スポットが第２の方向に沿って投影された幅であるとともに、光の断面光スポットの長軸は、当該光を反射する反射鏡の直角辺の長さ（すなわち、反射鏡のその光入射方向での投影サイズ）に等しくなるときに、図３においてスクリーンの光入射方向から見たスクリーンへの隣接する光スポットの模式図である図５に示すように、図４とともに、光スポット５１ａ、５１ｂは、それぞれレーザ２１ａおよび２１ｂによって発生された光Ｌ１が反射鏡を介してスクリーン４０へ反射された光スポットであり、２つの隣接する光束Ｌ１が反射鏡によって反射された後の隣接する光スポットは、光スポットの長軸方向（すなわち、前記幅方向）で隣接し、すなわち、当該隣接する光スポット間の長軸方向での間隔は、ゼロである。同様に、レーザからの出射光の断面光スポットの短軸方向は、当該光の反射鏡からの出射方向に平行にするとともに、当該短軸は、当該光を反射する反射鏡の直角辺の長さに等しくにすることができる。そこで、２つの隣接する光束Ｌ１が反射鏡によって反射された後の隣接する光スポットは、光スポットの短軸方向で隣接し（この場合、楕円形の光スポットの短軸方向は、前記幅方向である。）、すなわち、当該隣接する光スポット間の短軸方向での間隔は、ゼロである。
【００２２】
以上、主に同じレーザ群内のレーザの光スポット間隔の低減について説明したが、レーザ群間のレーザ間の光スポット間隔の低減について以下に説明する。
【００２３】
図３に示すように、２つのレーザ群のそれぞれからの出射光Ｌ１およびＬ２は、互いに平行であり、２つの反射鏡群のそれぞれからの出射光Ｌ１およびＬ２は、同一方向であって互いに平行である。図３のレーザ群の第１の投影および第２の投影の模式図である図６をさらに参照する。図３および図６とともに、レーザ群２０ａ（レーザ２１ａ、２１ｂ）のその出射光からなる光束の断面での第１の投影は、それぞれ６１、６２であり、レーザ群２０ｂ（レーザ２１ｃ、２１ｄ）のその出射光からなる光束の断面での第１の投影は、それぞれ６３、６４である。２つの投影群６１、６２と６３、６４の第１の方向での第２の投影は、それぞれ線分ＰとＮであり、第１の方向は、２つのレーザ群のいずれかの一方の２つのレーザの中心を結ぶ線の方向であり、第２の投影の線分ＰとＮの重なる部分は、図中の部分Ｍである。部分Ｍの重なりので、異なるレーザ群のレーザからの光間の間隔は、従来技術に比べて小さくなる。従って、光パワー密度が増加する。このような状況において、光スポット間隔を制限する要因は、もはやレーザの大きさではないが、反射鏡の大きさである。レーザと比較して、反射鏡は、光スポットの大きさに等しい大きさに切断することができるという利点を有する。反射鏡の高さ（つまり、反射鏡の底部から頂部への距離）は、光スポットの高さ（つまり、光スポットの底部から頂部への距離）と等しくなれば、かつ２つの反射鏡群の反射鏡の光入射方向での投影は、互いに隣接すれば、前記２つのレーザ群のうち、一方のレーザ群によって発生される光束と、他方のレーザ群によって発生される隣接する光束が反射鏡によって反射された後に形成された光スポットは、第２の方向で隣接しており、第２の方向は、当該反射鏡の入射光束の断面と出射光束の断面の両方に平行な方向である。それによって、２つのレーザ群の光スポットが互いに隣接していることを実現する。本発明においては、上述した頂部から底部への方向を図中の上方から下方への方向として定義する。
【００２４】
本実施例では、反射鏡への入射光の入射角は、４５度であるため、反射鏡の光出射方向は、同じレーザ群内のレーザの中心を結ぶ線の方向に平行である。したがって、換言すれば、第１の投影の反射鏡の光出射方向での第２の投影は、部分的に重なっている。具体的には、本実施例では、各レーザ群は、直線状に配列されており、２つのレーザ群は、対向して設置され（すなわち、１対１に対応する）、対向して設置されている２つのレーザ群のそれぞれの光出射方向での２つの第１の投影群は、部分的に重なっている。それにより、当該第１の投影の第１の方向での投影は、部分的に重なっている。具体的には、図６に示すように、一方のレーザ群（レーザ２１ｃ及び２１ｄ）の下部と他方のレーザ群（レーザ２１ａ及び２１ｂ）の上部のそれぞれの光出射方向での２つの投影群は、互いに重なっている。
【００２５】
図３に示す実施例では、２つのレーザ群のそれぞれの光出射方向での第１の投影は、１対１に対応するのではなく、互いに分離することもできる。それぞれ本発明に係る光源システムの２つの別の実施例における２つのレーザ群のそれぞれの光出射方向での投影の模式図である図７ａ、７ｂを参照する。図７ａに示すように、２つのレーザ群のそれぞれの光出射方向での第１の投影７１および７２の第１の方向での第２の投影は、互いに重なっているが、第１の投影７３および７４が互いに分離されている。図７ｂに示すように、２つのレーザ群のそれぞれの光出射方向での第１の投影７３および７４の第１の方向での第２の投影は、互いに重なっているが、第１の投影７３および７４が互いに離間されている。
【００２６】
図３の実施例においてスクリーン４０の光入射方向から見たスクリーンへの光スポットパターンである図８ａを参照する。図３および図８ａに示すように、レーザからの出射光の楕円形の光スポットの長軸は、反射鏡の光出射方向に平行であれば、反射鏡３１ａ及び３１ｂは、それぞれ、光スポット５１ａ及び５１ｂを得るように、レーザ２１ａ及び２１ｂからの光を反射し、反射鏡３１ｃ及び３１ｄは、それぞれ、光スポット５１ｃ及び５１ｄを得るように、レーザ２１ｃ及び２１ｄからの光を反射する。反射鏡の高さは、楕円形の光スポットの高さ（すなわち、短軸）に等しいとともに、２つの反射鏡群の反射鏡の光入射方向での投影は、互いに隣接しているので、光スポット５１ａ、５１ｂと光スポット５１ｃ、５１ｄは、第２の方向で隣接している。第２の方向は、当該反射鏡の入射光束の断面と出射光束の断面の両方に平行な方向、すなわち、図中の上から下への方向である。図８ａに示すような、密集した光スポットが取得される。これに対して、それぞれ従来技術による光スポットパターンおよび特許ＣＮ１０１９３７１６３による光スポットパターンである図８ｂおよび図８ｃを参照する。従来技術による光スポットパターンは、図８ｂ中の５１ａ〜５１ｄに示されており、特許ＣＮ１０１９３７１６３において１つの反射鏡群のみによって得られた光スポットは、図８ｃ中の５１ａ〜５１ｄに示されている。
【００２７】
説明の便宜上、前記２つのレーザ群の第１の投影の第１の方向での第２の投影が部分的に重なっていることは、レーザ群間のオフセット設置と呼ばれる。上述したように、反射鏡を用いることにより、同じレーザ群内のレーザからの光束間の間隔を圧縮することができるが、レーザ群間のオフセット設置を用いることにより、レーザ群間のレーザからの光束間の間隔を圧縮することができる。したがって、レーザダイオード間の間隔が二次元で圧縮されるという目的は、達成される。従来技術に比べて、光学システムの容積が大幅に低減されるとともに、光源システムの光パワー密度が増加する。
【００２８】
本発明の実施例における光源システムの別の実施例の構成の模式図である図９を参照する。光源システムは、１つのレーザ光源群９００を含む。レーザ光源９００は、２つのレーザ群２０ａおよび２０ｂ、具体的には、レーザダイオード群を含む。レーザダイオード群２０ａは、レーザダイオード２１ａおよび２１ｂを含み、レーザダイオード群２０ｂは、レーザダイオード２１ｃおよび２１ｄを含む。各レーザダイオード群は、直線状に配列されており、２つのレーザダイオード群は、同一平面内に設置されている。各レーザ群によって発生された各光束は、同一方向であって平行であり、かつ、光束方向は、レーザダイオードの位置する平面に対して垂直である。
【００２９】
２つのレーザダイオード群は、同一方向でオフセットして設置されている。ここで、「同一方向」は、２つのレーザダイオード群からの各光束が同一方向であることを意味する。「オフセットして設置されている」ということは、２つのレーザ群のそれぞれの出射光からなる光束の断面での第１の投影の第１の方向での第２の投影が部分的に重なっていることを意味する。第１の方向は、１つのレーザ群内の少なくとも２つのレーザの中心を結ぶ線の方向である。図９に示すように、本実施例における「同一方向でオフセットして設置されている」ということは、具体的に、２つのレーザ群のそれぞれ位置する２つのラインがレーザの光出射方向での同一断面にあり、レーザダイオード群２０ａにおいて、隣接するレーザダイオード２１ａおよび２１ｂが互いに離間して設置され、レーザダイオード群２０ｂにおいて、隣接するレーザダイオード２１ｃおよび２１ｄも互いに離間して設置され、２つのレーザダイオード群がそれぞれのラインに沿って互いにオフセットして噛み合っていることを意味する。
【００３０】
レーザ光源９００は、レーザ群に対応する２つの反射鏡群をさらに含む。反射鏡群３０ａは、それぞれレーザダイオード２１ａおよび２１ｂに対応する２つの反射鏡３１aおよび３１ｂを含み、反射鏡群３０ｂは、それぞれレーザダイオード２１ｃおよび２１ｄに対応する２つの反射鏡３１ｃおよび３１ｄを含む。反射鏡は、それに対応するレーザによって発生された各光束を反射するために、それに対応するレーザの光軸上に設置されている。反射された各光束は、互いに平行のままであるとともに、反射鏡群によって反射された光の間の間隔は、当該反射鏡群への各入射光の間の間隔よりも小さくなる。
【００３１】
図９に示す実施例における各レーザダイオード群のそれぞれの出射光からなる光束の断面での第１の投影の模式図である図１０を参照する。図１０に示すように、各レーザダイオード群からの出射光は、１つの光束を形成し、この光束の断面は、平面Ａにある。光束の断面は、図１０に示されており、光スポット５１ａ〜５１ｄは、それぞれレーザダイオード２１ａ〜２１ｄによって放出された光束に対応するが、丸１０１〜１０４は、それぞれレーザダイオード２１ａ〜２１ｄの外輪郭の平面Ａでの第１の投影に対応する。各光スポットは、楕円形である。レーザからの出射光の楕円形の光スポットの短軸は、反射鏡の光出射方向と平行である。
【００３２】
図９においてスクリーンの光入射方向から見たスクリーンへの光スポットパターンである図１１を参照する。図３に示す実施例の動作原理と同様に、本実施例では、図１１に示すように、反射鏡３１ａおよび３１ｂは、それぞれ、短軸方向で互いに隣接する光スポット５１ａおよび５１ｂを得るために、レーザ２１ａおよび２１ｂからの光を反射し、反射鏡３１ｃおよび３１ｄは、それぞれ、短軸方向で互いに隣接する光スポット５１ｃおよび５１ｄを得るために、レーザ２１ｃおよび２１ｄからの光を反射する。実際の操作では、組み立ての困難を軽減するために、反射鏡の入射光束方向での投影は、しばしば、光束の幅より若干大きくしており、隣接する反射鏡の反射光束の出射方向での投影は、一定の間隔を保持する。このように、光スポット５１ａと５１ｂ、または、光スポット５１ｃと５１ｄは、わずかに拡大した間隔を有することにより、もはや隣接しなくなる。それにもかかわらず、この間隔は、依然として、レーザダイオード９２及び９４から直接に放出された光束の間隔よりも小さくなる。
【００３３】
レーザ群間のレーザからの光の間の光スポット間隔の低減について、以下に説明する。図９の実施例におけるレーザ群の第１の投影および第２の投影の模式図である図１２を参照する。図１２に示すように、本実施例では、レーザダイオード群２０ａの断面Ａでの第１の投影は、１０１および１０２であり、第１の投影１０１および１０２の第１の方向での第２の投影は、１０９である。第１の方向は、２つのレーザ群のいずれかの一方の２つのレーザの中心を結ぶ線の方向である。レーザダイオード群２０ａの断面Ａでの第１の投影は、１０３および１０４であり、第１の投影１０３および１０４の第１の方向での第２の投影は、１０１０である。第２の投影１０９と第２の投影１０１０は、互いに重なっており、重なる部分は、部分Ｍである。
【００３４】
反射鏡は、レーザダイオード群２０ａとレーザダイオード群２０ｂの垂直方向での位置関係を変更しなくおり、垂直方向は、反射鏡の光入射方向と光出射方向からなる平面に垂直な方向である。したがって、２つのレーザダイオード群の断面Ａでの投影の光束の反射後の出射方向での投影の位置関係は、レーザダイオード群２０ａとレーザダイオード群２０ｂの垂直方向での位置関係を決定する。このため、投影１０９と投影１０１０が互いに重なっているのは、それらの２つのレーザダイオード群からの光の光スポットの垂直方向での間隔が行および列に直交配列された場合の間隔よりも小さくなることを意味する。
【００３５】
本実施例におけるレーザダイオードの最も好ましい配列形態は、本発明の実施例における光源システムの別の実施例のレーザ群の第１の投影の模式図である図１３に示されている。１つのレーザダイオード群からの出射光の光スポット５１ａ、５１ｂの第１の方向での第２の投影は、１３０１であり、他のレーザダイオード群からの出射光の光スポット５１ｃ、５１ｄの第１の方向での第２の投影は、１３０２であり。第２の投影１３０１と１３０２は、互いに隣接している。この時、レーザダイオードによって反射された光を完全に反射するために、２つの反射鏡群は、必然的に垂直方向で互いに隣接しており、スクリーンで２つのレーザダイオード群によって形成された反射光スポットも、必然的に垂直方向で互いに隣接している。図１１に示すように、光スポット５１ａ、５１ｂは、それぞれ光スポット５１ｃ、５１ｄに光スポットの長軸方向で隣接している。
【００３６】
上述の２つのレーザ群が同一方向でオフセットして設置されているのは、具体的に、２つのレーザ群のそれぞれ位置する２つのラインがレーザの光出射方向での異なる断面にあり、一方のレーザ群内の隣接するレーザが互いに離間して設置され、他方のレーザ群内の隣接するレーザも互いに離間して設置され、２つのレーザ群のそれぞれの光出射方向での投影がそれぞれのラインに沿って互いにオフセットして噛み合っていることを意味することもできる。なお、本発明における「噛み合っている」について、２つの隣接するレーザのそれぞれの光出射方向での投影が互いに接触するのを必要とせず、互いに分離することも可能である（図１４に示すように）ことに留意すべきである。要するに、２つのレーザ群が同一方向でオフセットして設置されているのは、レーザダイオード群間のレーザダイオードからの光束の間の間隔を圧縮することができるとともに、オフセットの形態を調整することにより、２つのレーザ群のうち、一方のレーザ群によって発生される光束と、他方のレーザ群によって発生される隣接する光束が反射鏡によって反射された後に形成された光スポットは、第２の方向で隣接することができる。第２の方向は、当該反射鏡の入射光束の断面と出射光束の断面の両方に平行な方向である。
【００３７】
上述したように、反射鏡を用いることにより、同じレーザダイオード群内のレーザダイオードからの光束間の間隔を圧縮することができるが、レーザダイオード群間のオフセット設置を用いることにより、レーザダイオード群間のレーザダイオードからの光束間の間隔を圧縮することができる。したがって、レーザダイオード間の間隔が二次元で圧縮されるという目的は、達成される。従来技術に比べて、光学システムの容積が大幅に低減されるとともに、光源システムの光パワー密度が増加する。
【００３８】
上述の実施例では、レーザ群は、１×２のアレイを例として説明したものである。しかしながら、他の実施例では、レーザ群内のレーザは、他の数及び配列形態を有することができ、レーザは、厳格なマトリクスアレイ状に配列される必要はない。本発明の実施例は、これに限定されるものではない。なお、レーザ光源のうち、１つのレーザ群内のレーザの数が２以上さえすれば、レーザ群間のレーザからの光束の間隔を圧縮することができることを指摘すべきである。
【００３９】
本発明の実施例におけるレーザ光源の一実施例の構成の模式図である図１５、および図１５に示す実施例におけるレーザ群の第１の投影および第２の投影の模式図である図１６を参照する。図１５に示すように、レーザ光源１５００は、２つのレーザ群２０ａおよび２０ｂを含む。レーザ群２０ａは、２つのレーザ２１ａ、２１ｂを含み、他のレーザ群２０ｂは、１つのレーザ２１ｃを含む。２つのレーザ群によって発生された各光束は、同一方向であって平行である。図１５および図１６に示すように、レーザ群２０ａおよび２０ｂのそれぞれの出射光からなる光束の断面での第１の投影は、それぞれ１５０１および１５０２であり、第１の投影１５０１および１５０２の第１の方向での第２の投影は、それぞれ１５０３および１５０４である。第２の投影１５０３および１５０４は、部分的に重なっている。第１の方向は、レーザ群２０ａ内の２つのレーザの中心を結ぶ線の方向である。第２の投影１５０３および１５０４は、部分的に重なっているため、レーザ群間のレーザからの光の光スポット間隔は、従来技術と比較して小さくなる。それによって、レーザ光源の光パワー密度を増加させ、レーザ光源の容積を減少させる。
【００４０】
図９に示す実施例における記載のように、本実施例では、好ましくは、各レーザ群は、直線状に配列されており、２つのレーザ群のそれぞれ位置する２つのラインは、レーザの光出射方向での同一断面にある。これは、容易にレーザ群用放熱装置を取り付けるようにするためである。また、各レーザ群内の隣接するレーザは、互いに離間して設置されることができ、２つのレーザ群は、それぞれのラインに沿って互いにオフセットして噛み合っている。なお、図９に示す実施例におけるレーザ光源の他の技術的な特徴は、本実施例に適用できることを理解すべきである。
【００４１】
本発明の実施例におけるレーザ光源の別の実施例の構成の模式図である図１７、および図１７に示す実施例におけるレーザ群の第１の投影および第２の投影の模式図である図１８を参照する。図１７に示すように、レーザ光源１７００は、２つのレーザ群２０ａおよび２０ｂを含む。レーザ群２０ａは、２つのレーザ２１ａ、２１ｂを含み、他のレーザ群２０ｂは、１つのレーザ２１ｃを含む。各レーザ群によって発生された各光束は、同一方向であって平行である。２つのレーザ群によって発生された各光束は、反対方向であって平行である。
【００４２】
レーザ光源１７００は、それぞれ２つのレーザ群２０ａおよび２０ｂからの各光束を反射するために使用され、２つのレーザ群からの各出射光束が反射された後に同一方向であって互いに平行であるようにする２つの反射鏡群３０ａおよび３０ｂをさらに含む。
【００４３】
図１７および図１８に示すように、レーザ群２０ａおよび２０ｂのそれぞれの出射光からなる光束の断面での第１の投影は、それぞれ１７０１および１７０２であり、第１の投影１７０１および１７０２の第１の方向での第２の投影は、それぞれ１７０３および１７０４である。第２の投影１７０３および１７０４は、部分的に重なっている。第１の方向は、レーザ群２０ａ内の２つのレーザの中心を結ぶ線の方向である。第２の投影１７０３および１７０４は、部分的に重なっているため、レーザ群間のレーザからの光の光スポット間隔は、従来技術と比較して小さくなる。それによって、レーザ光源の光パワー密度を増加させ、レーザ光源の容積を減少させる。
【００４４】
図３に示す実施例における記載のように、本実施例では、好ましくは、各レーザ群は、直線状に配列されており、２つのレーザ群は、対向して設置され（すなわち、１対１に対応する）、対向して設置されている２つのレーザ群のそれぞれの光出射方向での２つの投影群は、部分的に重なっている。それによって、レーザ光源の容積を減少させ、レーザ光源の光パワー密度を増加させる。加えて、各レーザ群内の隣接するレーザ間は、互いに接触することができることにより、さらにレーザ光源の容積を減少させ、レーザ光源の光パワー密度を増加させる。なお、図３に示す実施例におけるレーザ光源の他の技術的な特徴は、本実施例に適用できることを理解すべきである。
【００４５】
本実施例は、本発明のレーザ光源を説明するために３つのレーザの最も単純な例を使用する。なお、１つのレーザ群が少なくとも２つのレーザを含みさえすれば、レーザ群間のレーザからの光束の光スポット間隔を圧縮することができることを理解すべきである。したがって、他のレーザ群におけるレーザの数は、限定されるものではない。
【００４６】
本発明の実施例における光源システムの別の実施例の構成の模式図である図１９、および図１９に示す実施例においてスクリーンの光入射方向から見たスクリーンへの光スポットパターンである図２０を参照する。本実施例では、光源システム１９００は、上述した２つのレーザ光源１９０１および１９０２を含み、光合成デバイスと反射シート７０をさらに含む。レーザ光源１９０１からの出射光Ｌ１は、光合成デバイス６０の第１の面に入射され、レーザ光源１９０２からの出射光Ｌ２は、光合成デバイス６０の第２の面に反射シート７０によって反射される。光合成デバイス６０は、それぞれその両面に入射された２つの光Ｌ１およびＬ２１を透過し、反射する。このように、透過と反射された２つの光Ｌ１およびＬ２によって形成された光スポットは、少なくとも部分的に重なっている。
【００４７】
具体的には、本実施例では、光合成デバイス６０は、その片面に反射シート７０によって反射された光を反射し、他の光を透過する。なお、光うちのいずれかが光合成デバイス６０によって反射または透過されるのは、限定されないことを理解すべきである。また、好ましくは、反射シートの位置は、当該反射シートへの入射光の入射角が調節可能であるように調節可能である。これにより、容易にレーザ光源を交換することができる。反射シート７０は、本来垂直配列を必要とする２つのレーザ群が平行に配列されることができるように、大幅にレーザ光源のサイズを削減することができる。光源のサイズを減少させるために反射シートを使用するこのような設計は、多くの半導体レーザが使用される場合に有利である。特に、放熱装置が平行に配列される場合は、放熱装置が垂直に配列されるときよりも、放熱風路を設計することが容易である。実際には、レーザ光源１９０２からの出射光Ｌ２は、光合成デバイス６０の第２の面に直接入射されることができる。したがって、反射シート７０は、省略してもよい。
【００４８】
２つのレーザ光源群からの出射光の偏光方向は、互いに直交してもよい。このとき、光合成デバイスは、それぞれ２つのレーザ光源群からの出射光を透過し、反射する偏光による光合成デバイスであってもよい。例えば、レーザ光源１９０２は、レーザ光源１９０１に対して９０度回転されてもよい。ここで、この回転は、本来偏光による光合成デバイスを通過することができるレーザ光がこの回転後に偏光による光合成デバイスで反射されることにより、２つのレーザ光の光スポットが重なっていることを目的とする。このように、異なる位置および方向を有する光が重なっていて同じ伝搬方向を有していることが可能である。勿論、光合成デバイスが偏光による光合成デバイスであるときは、２つのレーザ光源群からの出射光の偏光方向は、同一であってもよいが、１/２波長板は、一方のレーザ光源群からの出射光の偏光方向を他方のレーザ光源群からの出射光の偏光方向に垂直になるように変更するとともに、偏光方向が変更された光を偏光による光合成デバイスに入射させるために使用することができる。
【００４９】
２つのレーザ光源群からの出射光の波長は、互いに異なっていてもよい。このとき、光合成デバイスは、一方のレーザ光源群からの光を透過し、他方のレーザ光源群からの光を反射する波長選択デバイスを採用することができる。
【００５０】
好ましくは、上述した透過され、反射された２つの光によって形成された光スポットの中心は、光スポットの重なり部分を増加させ、光パワー密度を増大させるように重なっている。例えば、２つのレーザ光源群からの出射光の偏光方向は、互いに直交しているとき、図２０に示すように、一つのレーザ光源群からの出射光の光スポットは、２００１であり、他のレーザ光源群からの出射光の光スポットは、２００２であり、２つの光スポット群の中心は、重なっている。
【００５１】
従来技術のレーザ光源からの光の光スポットの光パワー密度と比較して、レーザ光源に偏光による光合成デバイスを統合することによる光スポットの光パワー密度は、前者の９倍である。
【００５２】
なお、本発明の上述した実施例、またはそれらの技術的な特徴は、新たな技術的な効果を有する他の実施例を実現するために、任意の適切な方法で組み合わせることができることに留意すべきである。
【００５３】
以上は、本発明の好ましい実施例だけものであり、本発明の特許範囲を限定するものではない。本発明の明細書及び図面の内容を利用することで得られる、直接的にまたは間接的に他の関連技術分野において運用される、任意の等価な構造変換は、同様に、本発明の特許保護の範囲内に含まれる。
【図１ａ】
2015501508.tif 000003
【図１ｂ】
2015501508.tif 000004
【図２】
2015501508.tif 000005
【図３】
2015501508.tif 000006
【図４】
2015501508.tif 000007
【図５】
2015501508.tif 000008
【図６】
2015501508.tif 000009
【図７ａ】
2015501508.tif 000010
【図７ｂ】
2015501508.tif 000011
【図８ａ】
2015501508.tif 000012
【図８ｂ】
2015501508.tif 000013
【図８ｃ】
2015501508.tif 000014
【図９】
2015501508.tif 000015
【図１０】
2015501508.tif 000016
【図１１】
2015501508.tif 000017
【図１２】
2015501508.tif 000018
【図１３】
2015501508.tif 000019
【図１４】
2015501508.tif 000020
【図１５】
2015501508.tif 000021
【図１６】
2015501508.tif 000022
【図１７】
2015501508.tif 000023
【図１８】
2015501508.tif 000024
【図１９】
2015501508.tif 000025
【図２０】
2015501508.tif 000026
【国際調査報告】
2015501508.tif 000027
2015501508.tif 000028
2015501508.tif 000029
2015501508.tif 000030
2015501508.tif 000031
2015501508.tif 000032
2015501508.tif 000033